【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
撮像に関する制御命令を送信するマスター装置と、前記制御命令を受信するスレーブ装置とを含む複数の装置が属するネットワークを管理するネットワーク管理装置であって、
前記複数の装置のうち、前記マスター装置を判別する判別手段と、
前記ネットワーク管理装置が前記ネットワークから切断された場合に新たなネットワーク管理装置となる候補装置を、前記複数の装置のなかから、前記マスター装置を優先して決定する決定手段と、
前記複数の装置のうち、少なくとも前記決定手段により候補装置として決定された装置に、前記候補装置として決定されたことを示す通知を送信する送信手段と、を有することを特徴とするネットワーク管理装置。
【請求項２】
前記複数の装置がいずれも前記マスター装置でない場合、前記決定手段は前記スレーブ装置のいずれかを前記候補装置として決定することを特徴とする請求項１に記載のネットワーク管理装置。
【請求項３】
前記決定手段が前記候補装置を複数決定し、
前記ネットワーク管理装置は、前記候補装置の優先順位を示すリストを生成する生成手段をさらに含み、
前記送信手段は、前記リストを前記候補装置に送信することを特徴とする請求項１に記載のネットワーク管理装置。
【請求項４】
前記ネットワークに新たな装置が接続した場合、前記決定手段は前記候補装置を再度決定し、前記生成手段は前記リストを更新することを特徴とする請求項３に記載のネットワーク管理装置。
【請求項５】
前記送信手段は、前記ネットワーク管理装置が前記ネットワークから切断するためのイベント検知動作の前に前記通知を送信することを特徴とする請求項１から４のいずれか１項に記載のネットワーク管理装置。
【請求項６】
前記送信手段は、前記決定手段が前記候補装置を決定したことに応じて前記通知を送信することを特徴とする請求項１から５のいずれか１項に記載のネットワーク管理装置。
【請求項７】
前記送信手段は前記ネットワーク管理装置が前記ネットワークから切断するためのイベントを検知したことに応じて前記通知を送信することを特徴とする請求項１から６のいずれか１項に記載のネットワーク管理装置。
【請求項８】
前記ネットワーク管理装置は、前記ネットワーク管理装置として動作しながら前記マスター装置または前記スレーブ装置として動作することを特徴とする請求項１から７のいずれか１項に記載のネットワーク管理装置。
【請求項９】
前記マスター装置は、カメラユニットに直接またはフラッシュユニットを介して接続され、前記カメラユニットでレリーズ操作が行われたことに応じて前記制御命令を送信することを特徴とする請求項１から８のいずれか１項に記載のネットワーク管理装置。
【請求項１０】
前記スレーブ装置はフラッシュユニットに接続され、前記制御命令は前記フラッシュユニットを発光させるための命令であることを特徴とする請求項９に記載のネットワーク管理装置。
【請求項１１】
前記スレーブ装置は、前記カメラユニットに直接またはフラッシュユニットを介して接続され、前記制御命令は前記カメラユニットに撮像させるための命令であることを特徴とする請求項９に記載のネットワーク管理装置。
【請求項１２】
ネットワークを管理するネットワーク管理装置として動作するか、他の装置が管理するネットワークに属する装置として動作するかを設定する第１の設定手段と、
前記他の装置が管理するネットワークに属する装置として動作する場合に、撮像に関する制御命令を送信するマスター装置として動作するか、前記制御命令を受信するスレーブ装置として動作するかを選択する第２の設定手段と、
前記第１の設定手段により前記ネットワーク管理装置として動作するよう設定されている場合、管理するネットワークに属する装置から、前記ネットワークに属する装置が前記マスター装置として動作しているか否かの情報を含むデバイス情報を受信する受信手段と、
前記第１の設定手段によりネットワーク管理装置として動作するよう設定されている場合、前記管理するネットワークに属する装置のなかから、前記通信装置が前記管理するネットワークから切断された場合に新たなネットワーク管理装置として動作する候補装置を決定する決定手段と、
前記決定手段により候補装置として決定された装置に、前記候補装置として決定されたことを示す通知を送信する送信手段と、を有し、
前記決定手段は、前記デバイス情報に基づき、前記マスター装置として動作している装置を優先して前記候補装置を決定することを特徴とする通信装置。
【請求項１３】
撮像に関する制御命令を送信するマスター装置と前記制御命令を受信するスレーブ装置とを含む複数の装置が属するネットワークを管理するネットワーク管理装置の制御方法であって、
判別手段が、前記複数の装置のうち、前記マスター装置を判別する判別工程と、
決定手段が、前記複数の装置のなかから、前記ネットワーク管理装置が前記ネットワークから切断された場合に新たなネットワーク管理装置となる候補装置を、前記マスター装置を優先して決定する決定工程と、
送信手段が、前記複数の装置のうち、少なくとも前記決定工程において候補装置として決定された装置に、前記候補装置として決定されたことを示す通知を送信する送信工程と、を有することを特徴とするネットワーク管理装置の制御方法。
【請求項１４】
通信装置の制御方法であって、
設定手段が、ネットワークを管理するネットワーク管理装置として動作するか、他の装置が管理するネットワークに属する装置として動作するかを前記通信装置に設定する設定工程と、
前記設定工程において前記ネットワーク管理装置として動作するよう設定されている場合、受信手段が、管理するネットワークに属する装置から、前記ネットワークに属する装置が撮像に関する制御命令を送信するマスター装置として動作しているか、前記制御命令を受信するスレーブ装置として動作しているかの情報を含むデバイス情報を受信する受信工程と、
前記設定工程においてネットワーク管理装置として動作するよう設定されている場合、決定手段が、前記管理するネットワークに属する装置のなかから、前記通信装置が前記管理するネットワークから切断された場合に新たなネットワーク管理装置として動作する候補装置を決定する決定工程と、
送信手段が、少なくとも前記決定工程により候補装置として決定された装置に、前記候補装置として決定されたことを示す通知を送信する送信工程と、を有し、
前記決定工程において前記決定手段は、前記デバイス情報に基づき、前記マスター装置として動作している装置を優先して前記候補装置を決定することを特徴とする通信装置の制御方法。
【請求項１５】
コンピュータを、請求項１から７のいずれか１項に記載のネットワーク管理装置の各手段として機能させるためのプログラム。
【請求項１６】
コンピュータを、請求項１２記載の通信装置の各手段として機能させるためのプログラム。
【手続補正２】
【補正対象書類名】明細書
【補正対象項目名】発明の名称
【補正方法】変更
【補正の内容】
【発明の名称】ネットワーク管理装置及びその制御方法、ならびに通信装置及びその制御方法
【手続補正３】
【補正対象書類名】明細書
【補正対象項目名】０００１
【補正方法】変更
【補正の内容】
【０００１】
本発明は、ネットワーク管理装置及びその制御方法、ならびに通信装置及びその制御方法に関する。
【手続補正４】
【補正対象書類名】明細書
【補正対象項目名】００１０
【補正方法】変更
【補正の内容】
【００１０】
本発明は、装置が動的に増減しても、ネットワークを適切に維持可能とするネットワーク管理装置を提供する。また、本発明はこのような装置の制御方法も提供する。
【手続補正５】
【補正対象書類名】明細書
【補正対象項目名】００１１
【補正方法】変更
【補正の内容】
【００１１】
上述の目的は、撮像に関する制御命令を送信するマスター装置と、制御命令を受信するスレーブ装置とを含む複数の装置が属するネットワークを管理するネットワーク管理装置であって、複数の装置のうち、マスター装置を判別する判別手段と、ネットワーク管理装置がネットワークから切断された場合に新たなネットワーク管理装置となる候補装置を、複数の装置のなかから、マスター装置を優先して決定する決定手段と、複数の装置のうち、少なくとも決定手段により候補装置として決定された装置に、候補装置として決定されたことを示す通知を送信する送信手段と、を有することを特徴とするネットワーク管理装置によって達成される。
【手続補正６】
【補正対象書類名】明細書
【補正対象項目名】００１２
【補正方法】変更
【補正の内容】
【００１２】
このような構成により、本発明に係る装置によれば、装置が動的に増減しても、ネットワークを適切に維持可能となる。
【手続補正７】
【補正対象書類名】明細書
【補正対象項目名】００８４
【補正方法】変更
【補正の内容】
【００８４】
このように、ネットワークシステムに参加する端末が加わると、管理装置であるフラッシュ装置１０１はネットワーク機器情報を更新する。そして、メイン制御ＣＰＵ１０２は、更新したネットワーク機器情報を、ネットワークシステム上でブロードキャストする（Ｓ６０９）。これにより、ネットワークシステムに参加している端末の各々が、次に管理装置となることが予定されている端末を認識することが可能になる。
【手続補正８】
【補正対象書類名】図面
【補正対象項目名】図１
【補正方法】変更
【補正の内容】
【図１】
2013046172.tif 000001
【手続補正９】
【補正対象書類名】図面
【補正対象項目名】図５
【補正方法】変更
【補正の内容】
【図５】
2013046172.tif 000002